(57)【要約】      （修正有）【課題】テキスト本のページ枚数を増加させることなく、楽譜のコード記号に対応する鍵盤コードを表示させる鍵盤楽器テキスト本を提供する。【解決手段】複数段の五線譜１４と、この五線譜上に記入された音符とコード記号とを備える製本されたテキスト本１０を技術的前提として、ページＰ１、Ｐ２の下部または上部に鍵盤コード２０の印刷表示領域２１を設ける。楽曲進行上、重複してあらわれるコード記号に対応する鍵盤コード２０は、重複した印刷表示を省略する。このテキスト本１０によれば、楽曲の演奏進行順に記入されているコード記号の順に二次元図形化させた鍵盤コード２０を印刷表示するので、初心者でも練習が容易となり、また重複する鍵盤コード２０の表示を行わないので、製本コストや重量の増加を抑えることが出来る。【選択図】図１
0003188907.tif 000002
【実用新案登録請求の範囲】
【請求項１】
複数段の五線譜と、この五線譜上に記入された音符とコード記号とを備える、製本された鍵盤楽器用テキスト本において、
ページの下部または上部に鍵盤コードの印刷表示領域を設け、
該鍵盤コードは、二次元図形化させた鍵盤マーク上に、指で押さえる鍵盤箇所を目印マークで表示したものであり、
前記鍵盤マークの印刷表示領域には、
楽曲の演奏進行順に記入されているコード記号の順に前記鍵盤コードを印刷表示するとともに、
楽曲進行上で重複してあらわれるコード記号に対応する鍵盤コードは、重複表示を省略することを特徴とする鍵盤楽器用テキスト本。
【請求項２】
鍵盤コードの印刷表示領域は、
製本された鍵盤楽器用テキストのページ下部に設けることを特徴とする請求項１記載の鍵盤楽器用テキスト本。
【考案の詳細な説明】
【技術分野】
【０００１】
本考案は、ピアノやオルガン等の鍵盤楽器を演奏するためのテキスト本に関する。
【背景技術】
【０００２】
ピアノやオルガン等の鍵盤楽器は、修得を希望する者が多い一方で、習い始めても覚えるべき演奏コードが多い等の理由で、途中でやめてしまう人が多いのが実情である。
【０００３】
とくに、若年時から本格的にピアノ等の鍵盤楽器を学習した者と異なり、高齢になってから学習を開始するケースでは、楽譜に示されるコード記号やスケール等を覚えたり理解するのは容易ではない。
【０００４】
ジャズピアノやポップス系の鍵盤楽器の演奏では、メジャー、マイナー、オーギュメント、ディミニッシュ、セブンス、ディミニッシュト・セブンス、シックスス、マイナー・セブンス、メジャー・セブンス、サステイン・フォーといったクラシック音楽のものと同じ和声（コード）を用いるので、楽譜にあらわれるコード記号をすべてを初見で演奏するのは至難である。
【０００５】
このため、従来から、鍵盤楽器を効率的に学ぶための提案がなされている。例えば、下記引用文献１には、鍵盤楽器のテキスト本であって、五線譜に記入されたコード記号のすべてを、演奏の進行順に五線譜の直近上方箇所に図案化して表示する旨が開示されている。
【０００６】
これは、図６に示すように、演奏の進行順に使用されるコード記号Ｋを、視覚的に理解しやすい鍵盤コードＦとして二次元平面図形としてあらわし、五線譜の上にすべての鍵盤コードＦを表示するものである。このように、すべてのコード記号Ｋに対応させて二次元平面図形として表現した鍵盤コードＦを表示しておけば、初心者であっても、容易に鍵盤楽器の演奏を行うことが可能となる。
【先行技術文献】
【特許文献】
【０００７】
【特許文献１】特開２００７−３０４３０７
【考案の開示】
【考案が解決しようとする課題】
【０００８】
特許文献１のテキスト本は、すべてのコード記号に対応させて鍵盤コードを表示するので、初心者の速習支援になる点では優れている。
【０００９】
しかしながら、ジャズやポピュラーミュージック等の楽譜には、ひとつの楽曲あたり、多くのコード記号が使用される。例えば、五線譜一段につき平均３〜６程度のコード記号が使用されるので、そのすべてに対応させて鍵盤コードを表示してゆくと、さまざまな問題が生ずる。
【００１０】
第一の問題は、使用当初と練習後における違和感である。従来のテキスト本（引用文献１）によれば、上段の五線譜と下段の五線譜との間に複数の鍵盤コードが表示されるため、演奏の練習をはじめた当初は、間違わずに演奏を進行させることができるので便利である一方、演奏練習を繰り返して慣れてくると、上段の五線譜と下段の五線譜との間に複数の鍵盤コードが表示されていることが却って煩わしくなる。
【００１１】
第二の問題は、ひとつの楽曲に要するページ数が増える点である。上段の五線譜と下段の五線譜との間に複数の鍵盤コードが表示されていると、一頁あたりに記載できる五線譜の段数が確実に減るので、ひとつの楽曲に要するページ数は増大する。例えば、五線譜だけで表現した楽譜であれば３ページで済む場合でも、楽譜に表記されたすべてのコード記号に対して鍵盤コードを図示表示した場合は、上下の五線譜の隙間に大きなスペースを要するので、５〜６ページを要することになる。ページ数が増えると、演奏時にテキスト本のページをめくる動作タイミングが短くなり、回数も増えるので、演奏者にとっては滑らかな演奏に支障をもたらす可能性が高まる。
【００１２】
第三の問題は、テキスト本の厚みが増し、製本コストが増大する点である。従来のテキスト本では一頁あたりに記載できる五線譜の段数が減るため、他のテキスト本と比較して同一数の楽曲を掲載しようとすると、テキスト本の厚み（頁数）が確実に増すという問題である。楽譜のテキスト本は、ある程度の厚みがあるのはやむを得ないが、頁数が嵩んで例えば３０％〜４０％増しとなると、重量も増えて持ち運びにも不便であり、演奏時に譜面台に配置するときも、自らの重みでテキスト本が傾いたり倒れやすくなるといった問題が起きる。また、テキスト本のページ数が増えれば製本費用が増大するのは当然である。
【００１３】
そこで本考案の目的は、テキスト本のページ枚数を増加させることなく、楽譜のコード記号に対応する鍵盤コードを表示させることにある。
【課題を解決するための手段】
【００１４】
前記目的を達成するため、本考案に係る鍵盤楽器用テキスト本は、複数段の五線譜と、この五線譜上に記入された音符とコード記号とを備える、製本された鍵盤楽器用テキスト本を技術的前提として、ページの下部または上部に鍵盤コードの印刷表示領域を設け、該鍵盤コードは、二次元図形化させた鍵盤マーク上に、指で押さえる鍵盤箇所を目印マークで表示したものであり、前記鍵盤マークの印刷表示領域には、楽曲の演奏進行順に記入されているコード記号の順に前記鍵盤コードを印刷表示するとともに、楽曲進行上で重複してあらわれるコード記号に対応する鍵盤コードは、重複表示を省略する（請求項１）。
【００１５】
かかるテキスト本によれば、ページの下部または上部に設けた鍵盤コードの印刷表示領域に、楽曲の演奏進行順に記入されているコード記号の順に二次元図形化させた鍵盤コードを印刷表示するので、練習時には当該鍵盤コードを参照しながら、できるだけ滑らかな演奏が出来るよう反復練習を繰り返すことが出来るので、楽曲の修得効率は確実に高まる。
【００１６】
一方、ひとつの楽曲には、同一コードが繰り返して使用されるが、重複するコード記号は、再度の鍵盤コード表示を避ける。つまり、ひとつの楽曲で使用されるコード記号は一回だけの鍵盤コードの印刷表示を行うとすることにより、鍵盤コードの印刷表示領域に表示する鍵盤コード数を低減させる。
【００１７】
このようにすることで、一般的な楽譜テキスト本と略同一の頁数の体裁を保ちつつ、コード記号を完全に覚えていない演奏者であっても滑らかな演奏が出来るようにしたものである。五線譜の段差の間に鍵盤コードの表示がないので、上達したときにも違和感なく、楽譜を見ながら滑らかに演奏できる。
【００１８】
また二次元図形化した鍵盤コードは基本的に一回だけの表示なので、テキスト本の頁数も増えない。重量も増えないし、製本コストも抑えることが出来る。なお、五線譜の段数によっては、譜面に余白スペースが残る場合もある。この場合は、テキスト本の頁数が増えない限り、鍵盤コードの印刷表示領域に鍵盤コードの再表示を行っても構わない。
【００１９】
鍵盤コードの印刷表示領域は、製本された鍵盤楽器用テキストのページ下部に設ける場合がある（請求項２）。
【００２０】
請求項１に記載したとおり、鍵盤コードの印刷表示領域は、譜面の上下のどちらの位置に設けても良い。演奏者にとっては、鍵盤コードが視認できて瞬時にコード記号の演奏が出来れば、どちらの位置に鍵盤コードが表示されていても同じだからである。
【００２１】
しかしながら、演奏会や発表コンサートなど、多くの鑑賞者が集まる場所で演奏を行う場合は、テキスト本に表示されている鍵盤コードは、出来るだけ鑑賞者から見えにくい位置にあることが望ましい。鍵盤コードの印刷表示領域を、譜面の最も下の領域にまとめておけば、譜面台に置いたテキスト本が見える位置に座った鑑賞者であっても鍵盤コードを視認しにくく、通常の楽譜だけで演奏しているように見える利点がある。
【考案の効果】
【００２２】
本考案に係る鍵盤楽器用テキスト本によれば、テキスト本のページ枚数を増加させることなく、楽譜のコード記号に対応する鍵盤コードを表示させることが可能となる。このため、楽譜も伝統的な格式を保つことが出来、テキスト本の重量／コスト増加を避けることが出来る。
【図面の簡単な説明】
【００２３】
【図１】実施形態に係る鍵盤楽器用テキスト本を例示する斜視図である。
【図２】図１に示す鍵盤楽器用テキスト本の次ページを例示する図である。
【図３】図１に示す楽譜表示領域に表示する五線譜の一例を示す図である。
【図４】本考案に係る鍵盤コードを拡大して例示する図である。
【図５】第二の実施形態に係る鍵盤楽器用テキスト本を例示する斜視図である。
【図６】従来の鍵盤楽器用テキスト本を例示する図である。
【考案を実施するための形態】
【００２４】
図１は、本考案に係る鍵盤楽器用テキスト本の一例を示すものである。
【００２５】
このテキスト本１０は、通常の鍵盤楽器用テキスト本と同様、練習用楽曲についての先頭ページＰ１には、一番上に楽曲名や作曲者等を示すためのタイトル表示領域１２を設けてあり、このタイトル表示領域１２の下に五線譜１４を表示する楽譜表示領域１７を設けてある。楽譜表示領域１７には、上下数段に分けて複数の五線譜（譜表）１４を表示する。
【００２６】
また、テキスト本１０は、楽譜表示領域１７の下に、五線譜１４の上に記入されているコード記号に対応した鍵盤コード２０を表示する印刷表示領域２１を設ける。
【００２７】
通常、ポピュラーミュージックの一演奏に要するページ枚数は３〜４ページであるが、次ページＰ２以降にはタイトル表示領域１２は不要なので、ページの先頭に楽譜表示領域１７を置いて五線譜１４を表示し、その下に鍵盤コード２０を表示する印刷表示領域２１を設ける。図２に示すように、このようなページ表記を当該楽曲の終了ページＰ３まで繰り返す。
【００２８】
タイトル表示領域１２は、通常の楽譜と同様に、楽曲名、作曲者を表記するとともに、必要に応じて、例えば作詞者、発表年月日、楽曲の歴史等を記載する。
【００２９】
楽譜表示領域１７に表示する五線譜１４は、一般的な楽譜と同様の体裁であって良い。楽曲の演奏に必要な五線譜１４を上下複数段にわけて、ページ毎に適当数を割り当てる。
【００３０】
楽譜表示領域１７に表示する五線譜１４は、具体的には、例えば図３に示すように表示される。五線譜（譜表）１４には、ト音記号等の音部記号２３、拍子記号２４、音部記号２３と拍子記号２４との間に記入される調号２５、メロディーを作る音符２６等が記入されるとともに、コード記号（和音：コードネーム）２７が表示される。コード記号２７を使って、メロディバックの和音を表すのはジャズ等のポピュラーミュージックに特有の演奏方式である。
【００３１】
ジャズ等のポピュラー系演奏で難しいのは、楽曲を進行させるためのコード記号２７を淀みなく正確に演奏できるか否かである。スムーズにコード演奏を進行させることが出来れば、初心者等であっても楽曲演奏の体裁は整う。しかしながら、コード記号２７は多くの種類があるため、コード記号２７だけをみて瞬時に和音コードを演奏するのは難しいことが多い。
【００３２】
本考案に係る鍵盤コード２０は、このような演奏上の困難を緩和する。鍵盤コード２０は、具体的には、例えば図４に示すように、鍵盤を二次元図形として表現した鍵盤マークＭ上に、指で押さえる鍵盤箇所を目印マーク２２によって表示したものである。
【００３３】
目印マーク２２は、四角マーク、三角マークなどどのようなものでも良いが、この実施形態では、例えば黒丸表記を用いた。見やすいし、視覚的直感的にわかりやすいからである。なお、図１、図２に示した鍵盤コード２０には目印マーク２２を省略してある。図面を簡単にするためである。
【００３４】
図３に戻り、この楽曲例のコード進行を、五線譜（譜表）１４の五段目まで示すと、
一段目譜表が、Ｂ♭Ｍ７→Ｄ７ａｕｇ→Ｅ♭→Ｇ７→Ｃｍ
二段目譜表が、Ｇ７ａｕｇ→Ｃｍ→Ｆ７→Ｄｍ→Ｇ７
三段目譜表が、Ｃｍ→Ｆ７→Ｄｍ→Ｇ７→Ｃｍ
四段目譜表が、Ｆ７→Ｆ７→Ｂ♭Ｍ７→Ｄ７ａｕｇ→Ｅ♭
五段目譜表が、Ｅｄｉｍ→Ｄｍ→Ｇ７→Ｃｍ→Ｆ７
となっており、合計で２５個のコード記号が表示されている。
【００３５】
一方、この場合に、重複するコードを消したときに残るのは、
一段目譜表には、Ｂ♭Ｍ７、Ｄ７ａｕｇ、Ｅ♭、Ｇ７、Ｃｍ
二段目譜表には、Ｇ７ａｕｇ、Ｆ７、Ｄｍ
三段目譜表には、ゼロ（すべて重複）
四段目譜表には、ゼロ（すべて重複）
五段目譜表には、Ｅｄｉｍ
であり、合計で９個のコード記号が残る。
【００３６】
楽曲のコード記号２７は、演奏を進めてゆくほど重複するものが繰り返されるので、ひとつの楽曲の演奏に必要なコード記号（２７）は平均で１０〜１５程度となる。
【００３７】
そして、ひとつの楽曲に必要な五線譜（譜表）は、Ａ４サイズの一般的なテキスト本（１０）において略３〜４ページであるから、各ページの印刷表示領域２１に表示する鍵盤コード２０の割り当て数は、通常の楽曲で平均５個以下であり、印刷表示領域２１は十分な表示スペースを確保できる。
【００３８】
印刷表示領域２１を、ページＰ１〜Ｐ３の最下部に配置することで、演奏会や発表コンサートなど、多くの鑑賞者が集まる場所で演奏を行う場合でも、テキスト本１０に表示されている鍵盤コード２０は鑑賞者から見えにくく、日常的に練習を繰り返すテキスト本１０をそのまま使用して演奏発表会等に臨むことが可能となる。
【００３９】
鍵盤コード２０の大きさは、譜面台にテキスト本１０を載置した状態で瞬時に目視が可能な大きさとすることが望ましい。例えば、上下幅１０〜１５ｍｍ、左右幅２０〜４０ｍｍ程度とする等である。
【００４０】
鍵盤コード２０は、例えばＣ（ド）からＥ（ミ）までの範囲（白鍵数１０個）で表示することが出来るが、必要に応じて鍵盤マークの表示範囲は適宜変更できる。例えばＦ（ファ）〜Ｂ（シ）までの範囲（白鍵数１１個）で表示しても構わない。スケール表示の場合は、Ｃ（ド）〜Ｂ（シ）までの範囲（白鍵数１４個）で表示する場合もある。
【００４１】
従って、かかるテキスト本１０によれば、テキスト本１０のページ枚数を増加させることなく、楽譜のコード記号２７に対応する鍵盤コード２０を表示させることが可能となる。ページ枚数を抑えることが出来るので、テキスト本１０の重量や製本コストも抑えることが出来る。
【００４２】
また、鍵盤コード２０を表示する印刷表示領域２１は、テキスト本１０のページ下に配置するので、楽譜の伝統的な格式を保ち、見栄えも損なわない。
【００４３】
鍵盤コード２０が表示されているので、ジャズであればスウィングのリズムを表現する等、演奏者の自由に任せられる即興的な要素を加える精神的な余裕をもつことが出来る。即興要素がないクラシック音楽等と異なり、ポピュラー系音楽ではコード進行を間違わないという精神的余裕があれば演奏の自由度も高まり、初心者や独習者であっても、より楽しく質の高い演奏を行うことが出来るようになる。
【００４４】
本考案に係る鍵盤コード２０を表示する印刷表示領域２１は、図５に示すように、ページの上部に配置しても良い。ピアノ等の鍵盤楽器の演奏に慣れていない初心者の中には、鍵盤コード２０がページの上の部分に表示されている方が見やすいと感じる人も少なくないからである。この場合は、例えば、自宅での練習では鍵盤コード２０がページの上の部分に表示されているテキスト本１０を用い、演奏発表等のときには鍵盤コード２０がページの下に表示されているテキスト本１０を用いる等、使い分けをすることが望ましい。
【符号の説明】
【００４５】
１０  テキスト本
１２  タイトル表示領域
１４  五線譜（譜表）
１７  楽譜表示領域
２０  鍵盤コード
２１  印刷表示領域
２２  目印マーク
２３  音部記号
２４  拍子記号
２５  調号
２６  音符
２７  コード記号
Ｍ  鍵盤マーク
Ｐ１  （楽曲の）先頭ページ
Ｐ２  次ページ
Ｐ３  終了ページ
【図１】
0003188907.tif 000003
【図２】
0003188907.tif 000004
【図３】
0003188907.tif 000005
【図４】
0003188907.tif 000006
【図５】
0003188907.tif 000007
【図６】
0003188907.tif 000008